(57)【特許請求の範囲】
【請求項１】
タイヤ周方向に延在して環状をなすトレッド部と、該トレッド部の両側に配置された一対のサイドウォール部と、これらサイドウォール部のタイヤ径方向内側に配置された一対のビード部とを備え、前記トレッド部の内面にタイヤ周方向に沿って帯状吸音材が接着された空気入りタイヤにおいて、前記帯状吸音材に溝底を有する複数の切り込みが形成され、かつ各切り込みの両端末が前記帯状吸音材の内側で終端することを特徴とする空気入りタイヤ。
【請求項２】
前記切り込みのタイヤ周方向に対する角度θが４０°≦θ≦９０°の範囲にあることを特徴とする請求項１に記載の空気入りタイヤ。
【請求項３】
前記切り込みの深さｄが前記帯状吸音材の厚さＤに対して５０％以上であることを特徴とする請求項１又は２に記載の空気入りタイヤ。
【請求項４】
前記帯状吸音材の切り込みの幅ａが前記帯状吸音材の幅Ａに対して４０％〜９０％であることを特徴とする請求項１〜３のいずれかに記載の空気入りタイヤ。
【請求項５】
前記帯状吸音材の体積が前記タイヤの内腔体積に対して１０％〜３０％であることを特徴とする請求項１〜４のいずれかに記載の空気入りタイヤ。
【請求項６】
前記帯状吸音材がタイヤ周方向の少なくとも一箇所に欠落部を有することを特徴とする請求項１〜５のいずれかに記載の空気入りタイヤ。
【発明の詳細な説明】
【技術分野】
【０００１】
本発明は、空気入りタイヤに関し、更に詳しくは、タイヤ内面に接着した帯状吸音材に切り込みを入れることにより、タイヤ転動時において帯状吸音材に生じる応力を緩和し、帯状吸音材の耐久性を改善すると共に、帯状吸音材からの放熱を促進し、高速耐久性を改善することを可能にした空気入りタイヤに関する。
【背景技術】
【０００２】
タイヤ騒音を発生させる原因の一つにタイヤ空洞部に充填された空気の振動による空洞共鳴音がある。この空洞共鳴音は、車両走行時に路面と接地するタイヤのトレッド部が路面の凹凸によって振動し、この振動がタイヤ空洞部内の空気を振動させることによって生じる。この空洞共鳴音の中で騒音となる周波数域があり、その周波数域の騒音レベルを低下させることがタイヤ騒音を低減するのに重要である。
【０００３】
このような空洞共鳴現象による騒音を低減させる方法として、タイヤ内面にスポンジ等の多孔質材料からなる吸音材を弾性固定バンドによりトレッド部の内周面に装着することが提案されている（例えば、特許文献１参照）。しかしながら、吸音材の固定を弾性固定バンドに依存した場合、高速走行時において弾性固定バンドが変形してしまうという問題がある。
【０００４】
これに対して、帯状吸音材をタイヤ内面に直接接着して固定する方法が提案されている（例えば、特許文献２参照）。しかしながら、この場合、タイヤ内面に帯状吸音材が直貼りされているためトレッド部に蓄熱が生じ、その蓄熱により高速耐久性が悪化するという問題がある。また、帯状吸音材をタイヤ内面に直貼りした場合、タイヤ転動時に帯状吸音材がタイヤの撓みに追従することができず破断してしまうという問題がある。
【先行技術文献】
【特許文献】
【０００５】
【特許文献１】特許４２８１８７４号公報
【特許文献２】特許５２６７２８８号公報
【発明の概要】
【発明が解決しようとする課題】
【０００６】
本発明の目的は、タイヤ内面に接着した帯状吸音材に切り込みを入れることにより、タイヤ転動時において帯状吸音材に生じる応力を緩和し、帯状吸音材の耐久性を改善すると共に、帯状吸音材からの放熱を促進し、高速耐久性を改善することを可能にした空気入りタイヤを提供することにある。
【課題を解決するための手段】
【０００７】
上記目的を達成するための本発明の空気入りタイヤは、タイヤ周方向に延在して環状をなすトレッド部と、該トレッド部の両側に配置された一対のサイドウォール部と、これらサイドウォール部のタイヤ径方向内側に配置された一対のビード部とを備え、前記トレッド部の内面にタイヤ周方向に沿って帯状吸音材が接着された空気入りタイヤにおいて、前記帯状吸音材に溝底を有する複数の切り込みが形成され、かつ各切り込みの両端末が前記帯状吸音材の内側で終端することを特徴とするものである。
【発明の効果】
【０００８】
本発明では、帯状吸音材に複数の切り込みを形成し、かつ各切り込みの両端末が帯状吸音材の内側で終端する構成としているので、タイヤ転動時にタイヤが撓んだ際に帯状吸音材の切り込みが開いて、タイヤの変形に追従し、帯状吸音材に生じる応力を緩和し、帯状吸音材の破断を抑制することが可能となる。これにより、帯状吸音材の耐久性を改善することができる。また、タイヤ転動時に帯状吸音材の切り込みが開くことにより、帯状吸音材の放熱面積が増大するので、帯状吸音材からの放熱を促進し、空気入りタイヤの高速耐久性を向上させることが可能となる。更に、各切り込みは帯状吸音材の内側で両端末が終端しているため、帯状吸音材の動きを制限することができ、帯状吸音材の破断や帯状吸音材同士の擦れをより一層抑制することが可能となる。
【０００９】
また、複数の切り込みのタイヤ周方向に対する角度θは４０°≦θ≦９０°の範囲にあることが好ましい。これにより、タイヤ転動時に帯状吸音材の切り込みが開いて、タイヤの変形に追従し、帯状吸音材に生じる応力を緩和し、帯状吸音材の破断を抑制することが可能となる。また、帯状吸音材からの放熱を促進し、空気入りタイヤの高速耐久性を向上させることが可能となる。
【００１０】
切り込みの深さｄは帯状吸音材の厚さＤに対して５０％以上であることが好ましい。これにより、タイヤ転動時に帯状吸音材の切り込みが開き、帯状吸音材からの放熱を促進し、空気入りタイヤの高速耐久性を向上させることが可能となる。
【００１１】
帯状吸音材の切り込みの幅ａは帯状吸音材の幅Ａに対して４０％〜９０％であることが好ましい。これにより、タイヤ転動時に帯状吸音材の切り込みが開き、帯状吸音材からの放熱を促進することが可能となる。
【００１２】
帯状吸音材の体積はタイヤの内腔体積に対して１０％〜３０％であることが好ましい。これにより、帯状吸音材による吸音効果をより一層得ることが可能となる。このように帯状吸音材の体積を大きくすることで優れた騒音低減効果を得ることができ、しかも大型の帯状吸音材であっても良好な応力緩和効果と放熱効果を発揮することができる。空洞部の体積は、タイヤを正規リムにリム組みして正規内圧を充填した状態でタイヤとリムとの間に形成される空洞部の体積である。「正規リム」とは、タイヤが基づいている規格を含む規格体系において、当該規格がタイヤ毎に定めるリムであり、例えば、ＪＡＴＭＡであれば標準リム、ＴＲＡであれば“Ｄｅｓｉｇｎ  Ｒｉｍ”、或いはＥＴＲＴＯであれば“Ｍｅａｓｕｒｉｎｇ  Ｒｉｍ”とする。但し、タイヤが新車装着タイヤの場合には、このタイヤが組まれた純正ホイールを用いて空洞部の体積を求めることとする。「正規内圧」とは、タイヤが基づいている規格を含む規格体系において、各規格がタイヤ毎に定めている空気圧であり、ＪＡＴＭＡであれば最高空気圧、ＴＲＡであれば表“ＴＩＲＥ  ＲＯＡＤ  ＬＩＭＩＴＳ  ＡＴ  ＶＡＲＩＯＵＳ  ＣＯＬＤ  ＩＮＦＬＡＴＩＯＮ  ＰＲＥＳＳＵＲＥＳ”に記載の最大値、ＥＴＲＴＯであれば“ＩＮＦＬＡＴＩＯＮ  ＰＲＥＳＳＵＲＥ”であるが、タイヤが新車装着タイヤの場合には、車両に表示された空気圧とする。
【００１３】
帯状吸音材はタイヤ周方向の少なくとも一箇所に欠落部を有することが好ましい。これにより、タイヤのインフレートによる膨張や、接地転動に起因する接着面のせん断ひずみに長時間耐えることが可能となる。
【図面の簡単な説明】
【００１４】
【図１】本発明の実施形態からなる空気入りタイヤを示す斜視断面図である。
【図２】本発明の実施形態からなる空気入りタイヤを示す赤道線断面図である。
【図３】本発明の空気入りタイヤの内面に接着される帯状吸音材の一部を示す展開図である。
【図４】図３の吸音材のタイヤ周方向の断面図である。
【図５】本発明の空気入りタイヤの内面に接着される帯状吸音材の切り込みの変形例を示し、（ａ）〜（ｆ）は各変形例の展開図である。
【発明を実施するための形態】
【００１５】
以下、本発明の構成について添付の図面を参照しながら詳細に説明する。 図１及び図２は本発明の実施形態からなる空気入りタイヤを示すものである。図１において、本実施形態の空気入りタイヤは、タイヤ周方向に延在して環状をなすトレッド部１と、トレッド部１の両側に配置された一対のサイドウォール部２と、これらサイドウォール部２のタイヤ径方向内側に配置された一対のビード部３とを備えている。
【００１６】
上記空気入りタイヤにおいて、タイヤ内面４のトレッド部１に対応する領域には、タイヤ周方向に沿って接着層５を介して帯状吸音材６が接着されている。帯状吸音材６は、連続気泡を有する多孔質材料から構成され、その多孔質構造に基づく所定の吸音特性を有している。帯状吸音材６の多孔質材料としては発泡ポリウレタンを用いると良い。一方、接着層５としては、両面接着テープが好ましい。
【００１７】
帯状吸音材６にはその幅方向に延びる複数の切り込み７が形成されている。また、各切り込み７の両端末は帯状吸音材６の内側で終端しており、帯状吸音材６の幅方向の両端部には非連通である。
【００１８】
上述した空気入りタイヤでは、帯状吸音材６の幅方向に延びる複数の切り込み７を形成し、かつ各切り込み７の両端末が帯状吸音材６内で終端した構成としているので、タイヤ転動時にタイヤが撓んだ際に帯状吸音材６の切り込み７が開いて、タイヤの変形に追従し、帯状吸音材６に生じる応力を緩和し、帯状吸音材６の破断を抑制することが可能となる。特に、タイヤに大きな撓みが生じた際には帯状吸音材６と接着層５との界面において破断が生じ易くなるが、帯状吸音材６に切り込み７を付加することにより、そのような破断を効果的に防止することができる。これにより、帯状吸音材６の耐久性を改善することができる。また、タイヤ転動時に帯状吸音材６の切り込み７が開くことにより、帯状吸音材６の放熱面積が増大するので、帯状吸音材６からの放熱を促進し、空気入りタイヤの高速耐久性を向上させることが可能となる。更に、各切り込み７が帯状吸音材６の内側で両端末が終端しているため、帯状吸音材６の動きを制限することができ、帯状吸音材６の破断や帯状吸音材６同士の擦れをより一層抑制することが可能となる。
【００１９】
図３に示すように、切り込み７のタイヤ周方向に対する角度を角度θとする。図３においてＴｃはタイヤ周方向、Ｔｗはタイヤ幅方向である。このとき、切り込み７のタイヤ周方向に対する角度θは４０°≦θ≦９０°の範囲にあることが好ましい。これにより、タイヤ転動時に帯状吸音材６の切り込み７が開いて、タイヤの変形に追従し、帯状吸音材６に生じる応力を緩和し、帯状吸音材６の破断を抑制することが可能となる。また、帯状吸音材６からの放熱を促進し、空気入りタイヤの高速耐久性を向上させることが可能となる。ここで、切り込み７のタイヤ周方向に対する角度θが小さ過ぎると、タイヤ転動時に切り込み７が開き難くなるため、上述した応力緩和効果と放熱効果が低下することになる。
【００２０】
また、図３において切り込み７の幅を幅ａとし、帯状吸音材６の幅を幅Ａとする。このとき、帯状吸音材６の切り込み７の幅ａは帯状吸音材６の幅Ａに対して４０％〜９０％であることが好ましい。特に、帯状吸音材６の切り込み７の幅ａが帯状吸音材６の幅Ａに対して５０％〜８０％であることがより好ましい。これにより、タイヤ転動時に帯状吸音材６の切り込み７が開き、帯状吸音材６からの放熱を促進することが可能となる。ここで、切り込み７の幅ａが広過ぎると帯状吸音材６が安定しにくくなり、帯状吸音材６の耐久性の改善効果が低下する。
【００２１】
図４は帯状吸音材６のタイヤ周方向の断面図である。切り込み７の深さを深さｄとし、帯状吸音材６の厚さを厚さＤとする。このとき、切り込み７の深さｄは帯状吸音材６の厚さＤに対して５０％以上であることが好ましい。これにより、タイヤ転動時に帯状吸音材６の切り込み７が開き、帯状吸音材６からの放熱を促進することが可能となる。ここで、切り込み７の深さｄが浅過ぎると帯状吸音材６からの放熱が鈍くなり、タイヤの高速耐久性が悪化する。
【００２２】
上記の空気入りタイヤにおいて、帯状吸音材６の体積はタイヤの内腔体積に対して１０％〜３０％であることが好ましい。また、帯状吸音材６の幅はタイヤ接地幅に対して３０％〜９０％であることがより好ましい。これにより、帯状吸音材６による吸音効果をより一層得ることが可能となる。ここで、帯状吸音材６の体積がタイヤの内腔体積に対して１０％を下回ると吸音効果を適切に得ることができない。また、帯状吸音材６の体積がタイヤの内腔体積に対して３０％を超えると空洞共鳴現象による騒音の低減効果が一定となり、より一層の低減効果が望めなくなる。
【００２３】
また、図２に示すように、帯状吸音材６はタイヤ周方向の少なくとも１箇所に欠落部９を有することが好ましい。欠落部９とはタイヤ周上で帯状吸音材６が存在しない部分である。帯状吸音材６に欠落部９を設けることにより、タイヤのインフレートによる膨張や接地転動に起因する接着面のせん断ひずみに長時間耐えることができ、帯状吸音材６の接着面に生じるせん断歪みを効果的に緩和することが可能となる。このような欠落部９はタイヤ周上で１箇所又は３〜５箇所設けるのが良い。つまり、欠落部９をタイヤ周上の２箇所に設けると質量アンバランスに起因してタイヤユニフォミティの悪化が顕著になり、欠落部９をタイヤ周上の６箇所以上に設けると製造コストの増大が顕著になる。
【００２４】
なお、欠落部９をタイヤ周上の２箇所以上に設ける場合、帯状吸音材６がタイヤ周方向に途切れることになるが、そのような場合であっても、例えば、両面接着テープからなる接着層５のような他の積層物で複数の帯状吸音材６を互いに連結するようにすれば、これら帯状吸音材６を一体的な部材として取り扱うことができるため、タイヤ内面４への貼り付け作業を容易に行うことができる。
【００２５】
切り込み７としては、図１に示す他に図５（ａ）に示すように切り込み７を互い違いに配置した場合や、図５（ｂ）に示すように切り込み７を帯状吸音材６の片側に寄せて配置した場合、図５（ｃ）に示すようにランダムに配置した場合を例示することができる。また、図５（ｄ）に示すように帯状吸音材６の周方向に延びる切り込み７を配置した場合、図５（ｅ）に示すように帯状吸音材６の周方向に一定の角度で傾斜した切り込み７を配置した場合、図５（ｆ）に示すように切り込み７を互い違いに斜めに配置した場合を例示することができる。
【００２６】
以下、実施例により本発明を更に説明するが、本発明の範囲はこれらの実施例に限定されるものではない。
【実施例】
【００２７】
タイヤサイズ２７５／３４ＺＲ２０で、タイヤ周方向に延在して環状をなすトレッド部と、トレッド部の両側に配置された一対のサイドウォール部と、これらサイドウォール部のタイヤ径方向内側に配置された一対のビード部とを備え、トレッド部の内面にタイヤ周方向に沿って帯状吸音材が接着された空気入りタイヤにおいて、切り込みの有無、切り込みの配置、切り込みの角度θ、及び切り込みの深さ（深さｄ／厚さＤ×１００％）、切り込みの幅（幅ａ／幅Ａ×１００％）を表１−１及び表１−２のように設定した従来例、比較例１、参考例１及び実施例１〜１０のタイヤを製作した。
【００２８】
これら試験タイヤについて、下記試験方法により、高速耐久性、高撓み時の帯状吸音材の耐久性（帯状吸音材同士の擦れ及び接着面の剥がれ）を評価し、その結果を表１−１及び表１−２に併せて示した。
【００２９】
表１−１及び表１−２において、切り込みの配置は、帯状吸音材に形成された切り込みが、帯状吸音材の幅方向の両端部に連通している場合に「連通」とし、帯状吸音材の幅方向の両端部に連通していない場合に「非連通」とする。
【００３０】
高速耐久性：
各試験タイヤをそれぞれリムサイズ２０×９  １/２Ｊのホイールに組み付け、空気圧３６０ｋＰａ、荷重５ｋＮの条件でドラム試験機にて走行試験を実施した。具体的には、初期速度２５０ｋｍ／ｈとし、２０分毎に１０ｋｍ／ｈずつ速度を増加させ、タイヤに故障が発生するまで走行させ、その到達ステップ（速度）を測定した。その結果を表１−１及び表１−２に示す。
【００３１】
高撓み時の帯状吸音材の耐久性（帯状吸音材同士の擦れ）：
ここで言う耐久性は、主として帯状吸音材同士の擦れ及び切り込み箇所の破断に対する評価を示す。各試験タイヤをそれぞれリムサイズ２０×９  １/２Ｊのホイールに組み付け、走行速度８０ｋｍ／ｈ、空気圧１６０ｋＰａ、荷重８．５ｋＮ、走行距離６，０００ｋｍの条件でドラム試験機にて走行試験を実施した後、帯状吸音材同士の擦れ又は帯状吸音材の破断の有無を目視により確認した。その結果を表１−１及び表１−２に示す。上記の項目において、帯状吸音材同士の擦れ又は帯状吸音材の破断が無い場合を「◎」で示し、帯状吸音材同士の擦れ又は帯状吸音材の破断が一部あるが問題ない場合を「○」で示し、帯状吸音材同士の擦れ又は帯状吸音材の破断が帯状吸音材全体の１／４以下の場合を「△」で示し、帯状吸音材同士の擦れ又は帯状吸音材の破断が帯状吸音材全体の１／４以上の場合を「×」で示した。
【００３２】
高撓み時の帯状吸音材の耐久性（接着面の剥がれ）：
ここで言う耐久性は、主として接着面の剥がれ及び帯状吸音材と接着層との間の破断に対する評価を示す。各試験タイヤをそれぞれリムサイズ２０×９  １/２Ｊのホイールに組み付け、走行速度８０ｋｍ／ｈ、空気圧１６０ｋＰａ、荷重８．５ｋＮ、走行距離６，０００ｋｍの条件でドラム試験機にて走行試験を実施した後、帯状吸音材の接着面の剥がれ又は帯状吸音材の破断の有無を目視により確認した。その結果を表１−１及び表１−２に示す。上記の項目において、脱落、破断が無い場合を「◎」で示し、接着面の剥がれ又は帯状吸音材の破断が一部あるが問題ない場合を「○」で示し、接着面の剥がれ又は帯状吸音材の破断が帯状吸音材全体の１／４以下の場合を「△」で示し、接着面の剥がれ又は帯状吸音材の破断が帯状吸音材全体の１／４以上の場合を「×」で示した。
【００３３】
【表１−１】
0006672718.tif 000002
【００３４】
【表１−２】
0006672718.tif 000003
【００３５】
この表１−１、表１−２から判るように、実施例１〜１０の空気入りタイヤは高速耐久性、及び高撓み時の帯状吸音材の耐久性（帯状吸音材同士の擦れ及び接着面の剥がれ）が同時に改善されていた。
【００３６】
一方、比較例１においては、切り込みを帯状吸音材の幅方向の両端部に連通させて形成したため、高撓み時の帯状吸音材の耐久性（帯状吸音材同士の擦れ）が悪化していた。
【符号の説明】
【００３７】
１  トレッド部
２  サイドウォール部
３  ビード部
４  タイヤ内面
５  接着層
６  帯状吸音材
７  切り込み
８  空洞部
９  欠落部
【図１】
0006672718.tif 000004
【図２】
0006672718.tif 000005
【図３】
0006672718.tif 000006
【図４】
0006672718.tif 000007
【図５】
0006672718.tif 000008